(57)【特許請求の範囲】
【請求項１】
燃焼バーナと、前記燃焼バーナからの燃焼排気ガスの熱を利用して水を加熱するための熱交換器と、前記熱交換器に加熱すべき水を供給するための給水流路と、前記熱交換器にて加熱された水を出湯するための出湯流路と、を備え、
前記熱交換器は、燃焼排気ガスの流れ方向上流側に配設された主熱交換器部と、燃焼排気ガスの流れ方向下流側に配設された副熱交換器部と、を有し、前記副熱交換器部に関連して、前記副熱交換器部にて生じた凝縮水を捕集するためのドレンパンと、前記ドレンパンにより捕集された凝縮水を中和するための中和器と、前記中和器にて中和された凝縮水を貯めるためのドレンタンクと、前記ドレンタンクに貯まった凝縮水を排出するためのドレン流路と、前記ドレン流路に配設された排水ポンプとが設けられ、
前記ドレンタンクには、前記ドレンタンクに貯められた凝縮水の水位を検知するための水位検知手段が設けられ、前記水位検知手段は、凝縮水の上限水位を検知する上限水位検知センサ及び凝縮水の下限水位を検知する下限水位検知センサを含み、
更に、前記ドレンタンクに貯まった凝縮水を排水する排水運転が行われた後に再び前記排水運転が行われるまでの運転間隔時間を計測するタイマ手段が設けられており、
前記上限水位検知センサにより凝縮水の上限水位が検知されると、前記排水ポンプが作動されて前記排水運転が行われ、その後に前記下限水位検知センサが凝縮水の下限水位を検知すると、前記排水ポンプが作動停止して前記排水運転が終了し、そして、前記タイマ手段が排水運転が行われた後に再び排水運転が行われるまでの運転間隔として所定時間間隔以上を計時すると、前記排水運転が終了した後に、前記排水ポンプが作動されて前記ドレン流路に残留する凝縮水を排水するパージ運転が行われ、前記パージ運転は、前記下限水位検知センサにより凝縮水の下限水位が検知されてから所定時間が経過すると終了することを特徴とする給湯器。
【請求項２】
前記排水ポンプに関連して、前記パージ運転における前記排水ポンプの作動時間を設定するための作動時間設定手段が更に設けられ、前記作動時間設定手段は、前記排水ポンプの前記排水運転の運転時間に基づいて、前記排水ポンプの作動時間を設定することを特徴とする請求項１に記載の給湯器。
【請求項３】
前記排水運転においては、前記排水ポンプは第１所定回転数で作動され、前記パージ運転においては、前記排水ポンプは前記第１所定回転数よりも大きい第２所定回転数で作動されることを特徴とする請求項１に記載の給湯器。
【発明の詳細な説明】
【技術分野】
【０００１】
本発明は、燃焼排気ガスとの熱交換により温水を得るための給湯器に関する。
【背景技術】
【０００２】
従来より、燃焼排気ガスとの熱交換により温水を得るための給湯器が用いられている（例えば、特許文献１参照）。この給湯器は、燃焼室に配設された燃焼バーナと、燃焼バーナの上方に配設された熱交換器及びドレンパンと、熱交換器の流入側に接続された給水流路と、熱交換器の流出側に接続された出湯流路と、を備えている。熱交換器は、ドレンパンの下側に配設された主熱交換器部と、ドレンパンの上側に配設された副熱交換器部と、を有している。また、ドレンパンにはドレン流路が設けられ、このドレン流路には、中和器、ドレンタンク及び排水ポンプが配設されている。中和器内には、炭酸カルシウムなどの中和剤が収容されている。ドレンタンクには、ドレンタンク内の凝縮水の上限水位を検知するための上限水位検知センサと、ドレンタンク内の凝縮水の下限水位を検知するための下限水位検知センサとが設けられている。
【０００３】
この給湯器による給湯運転は、次のようにして行われる。加熱すべき水は給水流路を通して熱交換器の副熱交換器部に供給され、副熱交換器部及び主熱交換器部を通して流れる。また、燃焼バーナからの燃焼排気ガスは、燃焼室内を上方に流れて外部に排出される。副熱交換器部及び主熱交換器部を通して流れる水と燃焼排気ガスとの熱交換によって温水が生成され、生成された温水は主熱交換器部から出湯流路を通して出湯される。このように熱交換が行われると、副熱交換器部において燃焼排気ガスが過冷却されて燃焼排気ガス中の水蒸気が凝縮され、副熱交換器部の表面に凝縮水が付着する。この凝縮水はドレンパンに滴下することにより捕集され、捕集された凝縮水はドレン流路を通して中和器に送給され、中和器内の中和剤によって中和された後にドレンタンクに貯められる。
【０００４】
ドレンタンクに貯まった凝縮水は、次のようにして排出される。ドレンタンク内の凝縮水の水位が上限水位よりも上昇すると、上限水位検知センサからの検知信号に基づいて排水ポンプが作動され、排水運転が行われる。この排水運転においては、排水ポンプの作用によって、ドレンタンク内の凝縮水がドレン流路を通して外部に排出される。その後、ドレンタンク内の凝縮水の水位が下限水位よりも低下すると、下限検知センサからの検知信号に基づいて排出ポンプの作動が停止され、排水運転が終了される。
【０００５】
【特許文献１】特開２００２−１３０８３０号公報
【発明の開示】
【発明が解決しようとする課題】
【０００６】
しかしながら、上述した従来の給湯器では、排水運転終了後に凝縮水がドレン流路に残留する場合がある。中和器にて中和された凝縮水にはカルシウム成分が含まれており、それ故に、凝縮水がドレン流路に残留すると、凝縮水中のカルシウム成分がドレン流路に析出される。このようにカルシウム成分の析出が長期間繰り返されると、析出したカルシウム成分によってドレン流路が閉塞されるおそれがあるという問題がある。
【０００７】
本発明の目的は、凝縮水がドレン流路に残留するのを防止することができる給湯器を提供することである。
【課題を解決するための手段】
【０００９】
本発明の請求項１に記載の給湯器では、燃焼バーナと、前記燃焼バーナからの燃焼排気ガスの熱を利用して水を加熱するための熱交換器と、前記熱交換器に加熱すべき水を供給するための給水流路と、前記熱交換器にて加熱された水を出湯するための出湯流路と、を備え、
前記熱交換器は、燃焼排気ガスの流れ方向上流側に配設された主熱交換器部と、燃焼排気ガスの流れ方向下流側に配設された副熱交換器部と、を有し、前記副熱交換器部に関連して、前記副熱交換器部にて生じた凝縮水を捕集するためのドレンパンと、前記ドレンパンにより捕集された凝縮水を中和するための中和器と、前記中和器にて中和された凝縮水を貯めるためのドレンタンクと、前記ドレンタンクに貯まった凝縮水を排出するためのドレン流路と、前記ドレン流路に配設された排水ポンプとが設けられ、
前記ドレンタンクには、前記ドレンタンクに貯められた凝縮水の水位を検知するための水位検知手段が設けられ、前記水位検知手段は、凝縮水の上限水位を検知する上限水位検知センサ及び凝縮水の下限水位を検知する下限水位検知センサを含み、
更に、前記ドレンタンクに貯まった凝縮水を排水する排水運転が行われた後に再び前記排水運転が行われるまでの運転間隔時間を計測するタイマ手段が設けられており、
前記上限水位検知センサにより凝縮水の上限水位が検知されると、前記排水ポンプが作動されて前記排水運転が行われ、その後に前記下限水位検知センサが凝縮水の下限水位を検知すると、前記排水ポンプが作動停止して前記排水運転が終了し、そして、前記タイマ手段が排水運転が行われた後に再び排水運転が行われるまでの運転間隔として所定時間間隔以上を計時すると、前記排水運転が終了した後に、前記排水ポンプが作動されて前記ドレン流路に残留する凝縮水を排水するパージ運転が行われ、前記パージ運転は、前記下限水位検知センサにより凝縮水の下限水位が検知されてから所定時間が経過すると終了することを特徴とする。
【００１０】
また、本発明の請求項２に記載の給湯器では、前記排水ポンプに関連して、前記パージ運転における前記排水ポンプの作動時間を設定するための作動時間設定手段が更に設けられ、前記作動時間設定手段は、前記排水ポンプの前記排水運転の運転時間に基づいて、前記排水ポンプの作動時間を設定することを特徴とする。
【００１１】
さらに、本発明の請求項３に記載の給湯器では、前記排水運転においては、前記排水ポンプは第１所定回転数で作動され、前記パージ運転においては、前記排水ポンプは前記第１所定回転数よりも大きい第２所定回転数で作動されることを特徴とする。
【発明の効果】
【００１３】
本発明の請求項１に記載の給湯器によれば、ドレンタンクに配設された水位検知手段は、凝縮水の上限水位を検知する上限水位検知センサ及び凝縮水の下限水位を検知する下限水位検知センサを含み、上限水位検知センサにより凝縮水の上限水位が検知されると、排水ポンプが作動されて排水運転が行われ、その後に下限水位検知センサが凝縮水の下限水位を検知すると、排水ポンプが作動停止して排水運転が終了するので、ドレンタンクに貯まった凝縮水をドレン流路を通して排水することができる。また、凝縮水を排水する排水運転が行われた後に再び排水運転が行われるまでの運転間隔時間を計測するタイマ手段が設けられ、このタイマ手段が排水運転が行われた後に再び排水運転が行われるまでの運転間隔として所定時間間隔以上を計時すると、排水運転が終了した後に、排水ポンプが作動されてドレン流路に残留する凝縮水を排水するパージ運転が行われるので、ドレン流路内に残留した凝縮水をドレン流路を通して外部に排出することができる。
【００１４】
また、本発明の請求項２に記載の給湯器によれば、ドレン流路に残留する凝縮水の量は排水運転の運転時間に比例する傾向にあり、それ故に、排水運転の運転時間に基づいてパージ運転における排水ポンプの作動時間を設定することによって、ドレン流路に残留する凝縮水を排出するために要する時間に応じた排水ポンプの作動時間の設定を行うことができ、ドレン流路に残留する凝縮水を確実に排出することができる。
【００１５】
さらに、本発明の請求項３に記載の給湯器によれば、パージ運転における排水ポンプの回転数を排水運転における排水ポンプの回転数よりも大きくすることによって、排水ポンプによってドレン流路に送り込む空気の圧力を高めることができ、これによってドレン流路に残留する凝縮水をより確実に排出することができる。
【発明を実施するための最良の形態】
【００１６】
以下、添付図面を参照して、本発明に従う給湯器の一実施形態について説明する。図１は、本発明の一実施形態による給湯器を示す概略図であり、図２は、図１の給湯器の制御系を示すブロック図であり、図３は、図１の給湯器によるパージ運転の流れを示すフローチャートである。
【００１７】
図１を参照して、図示の給湯器２は給湯ハウジング４を備え、この給湯ハウジング４の内部には燃焼室６が形成されており、燃焼室６の上端部には排気流路８が形成されている。また、この給湯ハウジング４の内部には、例えば浴室のカランや浴槽などの温水機器（図示せず）に温水を供給するための第１給湯手段１０と、例えば床暖房装置などの温水暖房機器（図示せず）に温水を供給するための第２給湯手段１２とが設けられている。
【００１８】
第１給湯手段１０は、燃焼室６に配設された第１燃焼バーナ１４と、第１燃焼バーナ１４の上方に設けられた第１熱交換器１６及び第１ドレンパン１８と、第１熱交換器１６の流入側に接続された給水流路２０と、第１熱交換器１６の流出側に接続された出湯流路２２と、を備えている。第１燃焼バーナ１４にはガス供給源（図示せず）からの燃料用ガスが供給され、第１燃焼バーナ１４にて燃料用ガスが燃焼されることにより燃焼排気ガスが発生される。
【００１９】
第１熱交換器１６は、第１ドレンパン１８の下側に配設された第１主熱交換器部２４と、第１ドレンパン１８の上側に配設された第１副熱交換器部２６と、を有している。第１副熱交換器部２６には給水流路２０が接続され、第１主熱交換器部２４には出湯流路２２が接続されている。給水流路２０と出湯流路２２との間にはバイパス流路２８が接続され、出湯流路２２とバイパス流路２８との接続部には混合弁２９が配設されている。また、出湯流路２２より給湯流路３０が分岐して延びており、この給湯流路３０には開閉弁３２が配設されている。給水流路２０の上流側端部は給水源（図示せず）に接続され、出湯流路２２の下流側端部は浴室のカラン（図示せず）に接続されている。
【００２０】
更に、給湯流路３０には追焚き往き流路３４及び追焚き戻り流路３６が接続され、追焚き往き流路３４には追焚き用熱交換器３８が配設され、また追焚き戻り流路３６には循環ポンプ４０が配設されている。追焚き往き流路３４の下流側端部及び追焚き戻り流路３６の上流側端部はそれぞれ、浴室の浴槽に設けられた給湯口（図示せず）に接続されている。
【００２１】
第２給湯手段１２は、燃焼室６に配設された第２燃焼バーナ４２と、第２燃焼バーナ４２の上方に設けられた第２熱交換器４４及び第２ドレンパン４６と、第２熱交換器４４の流入側に接続された温水戻り流路４８と、第２熱交換器４４の流出側に接続された温水往き流路５０と、を備えている。第２燃焼バーナ４２にはガス供給源（図示せず）からの燃料用ガスが供給され、第２燃焼バーナ４２にて燃料用ガスが燃焼されることにより燃焼排気ガスが発生される。第２熱交換器４４は、第２ドレンパン４６の下側に配設された第２主熱交換器部５２と、第２ドレンパン４６の上側に配設された第２副熱交換器部５４と、を有している。第２副熱交換器部５４には温水戻り流路４８が接続され、第２主熱交換器部５２には温水往き流路５０が接続されており、温水往き流路５０の下流側端部及び温水戻り流路４８の上流側端部はそれぞれ床暖房装置（図示せず）に接続されている。第２副熱交換器部５４と第２主熱交換器部５２との間には循環ポンプ５６が配設されている。また、温水往き流路５０には、温水往き流路５０をバイパスするバイパス流路５８が接続され、このバイパス流路５８は追焚き用熱交換器３８の内部に配設されている。
【００２２】
第１及び第２ドレンパン１８，４６はそれぞれ、それらの一端部に向けて下方に傾斜しており、第１及び第２ドレンパン１８，４６の各一端部にはドレン流路６０の上流側端部が接続されている。ドレン流路６０の上流側には中和器６２が配設され、その下流側にはドレンタンク６４及び排水ポンプ６６が配設されている。中和器６２は本体ハウジング６８を備え、本体ハウジング６８内には炭酸カルシウムなどの中和剤（図示せず）が収容されている。ドレンタンク６４内の上端部には、ドレンタンク６４内の凝縮水の上限水位を検知するための上限水位検知センサ７０（水位検知手段を構成する）が設けられ、またドレンタンク６４内の下端部には、ドレンタンク６４内の凝縮水の下限水位を検知するための下限水位検知センサ７２（水位検知手段を構成する）が設けられている。ドレン流路６０の下流側は、ドレンタンク６４から延びて例えば浴室の床下空間などに所要の通りに配設され、その下流側端部は、浴室の浴槽に設けられた排水口（図示せず）に接続されている。
【００２３】
本実施形態の給湯器２では、排水ポンプ６６を作動制御するための制御手段７４が設けられている（図２参照）。この制御手段７４は、カウント手段７６、タイマ手段７８、メモリ８０、作動時間設定手段８２及び作動制御手段８４を含んでいる。カウント手段７６は、後述する排水運転が行われた回数をカウントする。タイマ手段７８は、排水ポンプ６６による排水運転の運転時間、具体的には、上限水位検知センサ７０により凝縮水の上限水位が検知されてから下限水位検知センサ７２により凝縮水の下限水位が検知されるまでの時間を計測する。メモリ８０には、カウント手段７６のカウント値に関するカウント値データ（例えば１０回）と、排水運転における排水ポンプ６６の回転数に関する第１所定回転数データ（例えば３０００ｒｐｍ）と、パージ運転における排水ポンプ６６の回転数に関する第２所定回転数データ（例えば３５００ｒｐｍ）とが記憶されている。作動時間設定手段８２は、タイマ手段７８の計測時間（即ち、直前の排水運転の運転時間）に基づいて、パージ運転における排水ポンプ６６の作動時間を設定し、本実施形態では、パージ運転における排水ポンプ６６の作動時間を排水運転の運転時間と同じ時間に設定する。作動制御手段８４は、カウント手段７６のカウント値並びに上限水位検知センサ７０及び下限水位検知センサ７２からの検知信号に基づいて、排水ポンプ６６を後述するようにして作動制御する。
【００２４】
上述した給湯器２による給湯運転について説明すると、次の通りである。温水機器に温水を供給する際には第１給湯手段１０が稼動され、第１燃焼バーナ１４が作動されるとともに、開閉弁３２が閉状態に保持される。給水源からの加熱すべき水は、給水流路２０を通して第１熱交換器１６の第１副熱交換器部２６に供給され、第１副熱交換器部２６及び第１主熱交換器部２４を通して流れる。また、第１燃焼バーナ１４からの燃焼排気ガスは燃焼室６内を上方に向かって流れ、排気流路８を通して外部に排出される。第１副熱交換器部２６及び第１主熱交換器部２４を通して流れる水と燃焼排気ガスとの熱交換によって温水が生成され、生成された温水は出湯流路２２を通して流れる。混合弁２９によって、出湯流路２２を通して流れる温水と給水流路２０よりバイパス流路２８を通して出湯流路２２に流れ込む水とが適宜混合されて温度調節され、このように温度調節された温水が出湯流路２２を通して浴室のカランに供給される。
【００２５】
また、浴室の浴槽に温水を貯める際には第１給湯手段１０が稼動され、第１燃焼バーナ１４が作動されるとともに、開閉弁３２が開状態に保持される。上述と同様に第１熱交換器１６によって温水が生成され、出湯流路２２を流れる温水の一部が温度調節された後に給湯流路３０に流れ、給湯流路３０及び追焚き往き流路３４を通して浴槽の給湯口に供給される。
【００２６】
また、床暖房装置に温水を供給する際には第２給湯手段１２が稼動され、第２燃焼バーナ４２及び循環ポンプ５６がそれぞれ作動される。循環ポンプ５６の作用によって、床暖房装置からの加熱すべき水は、温水戻り流路４８を通して第２熱交換器４４の第２副熱交換器部５４に供給され、第２副熱交換器部５４及び第２主熱交換器部５２を通して流れる。また、第２燃焼バーナ４２からの燃焼排気ガスは燃焼室６内を上方に向かって流れ、排気流路８を通して外部に排出される。第２副熱交換器部５４及び第２主熱交換器部５２を通して流れる水と燃焼排気ガスとの熱交換によって温水が生成され、生成された温水は、温水往き流路５０を通して床暖房装置に供給される。
【００２７】
また、浴槽内の温水を追い焚きする際には第２給湯手段１２が稼動され、第２燃焼バーナ４２及び循環ポンプ４０，５６がそれぞれ作動されるとともに、開閉弁３２が閉状態に保持される。循環ポンプ４０の作用によって、浴槽内の加熱すべき温水は、追焚き戻り流路３６、追焚き用熱交換器３８及び追焚き往き流路３４を通して循環される。上述と同様に第２熱交換器４４によって温水が生成され、温水往き流路５０を通して流れる温水の一部はバイパス流路５８を流れ、追焚き用熱交換器３８においてバイパス流路５８を通して流れる温水と追焚き往き流路３４を通して流れる温水との間で熱交換が行われる。この熱交換によって、追焚き往き流路３４を通して流れる温水が加熱され、加熱された温水が浴槽の給湯口に供給される。
【００２８】
次に、上述した給湯器２によるパージ運転について説明する。給湯器２の給湯運転が開始されると、第１及び／又は第２副熱交換器部２６，５４を通して流れる水は燃焼排気ガスの潜熱を吸収し、また第１及び／又は第２主熱交換器部２４，５２を通して流れる水は燃焼排気ガスの顕熱を吸収する。これにより、第１及び／又は第２主熱交換器部２４，５２にて熱交換された燃焼排気ガスの温度は例えば２００℃程度、第１及び／又は第２副熱交換器部２６，５４にて熱交換された燃焼排気ガスの温度は例えば７０℃程度となり、これにより第１及び／又は第２副熱交換器部２６，５４が配置された燃焼室６の上部にて燃焼排気ガス中の水蒸気が凝縮され、第１及び／又は第２副熱交換器部２６，５４の表面に凝縮水が付着する。この凝縮水は、第１及び／又は第２ドレンパン１８，４６に滴下されることにより捕集され、捕集された凝縮水は、ドレン流路６０を通して中和器６２の本体ハウジング６８内に流入され、中和剤によって中和された後にドレンタンク６４に貯められる。
【００２９】
このように凝縮水がドレンタンク６４に貯められると、ドレンタンク６４内の凝縮水の水位が検知される検知状態となる（ステップＳ１）。ドレンタンク６４内の凝縮水の水位が上限水位よりも上昇されると排水運転が開始され（ステップＳ２，Ｓ３）、上限水位検知センサ７０からの検知信号に基づいて、タイマ手段７８の計測が開始され（ステップＳ４）、作動制御手段８４は排水ポンプ６６を第１所定回転数（例えば３０００ｒｐｍ）でもって作動させる（ステップＳ５）。また、カウント手段７６は排水運転の回数をカウントアップする（ステップＳ６）。この排水運転においては、排水ポンプ６６の作用によって、ドレンタンク６４内の凝縮水がドレン流路６０を通して排出され、排出された凝縮水はドレン流路６０を通して浴槽の排水口に送給される。
【００３０】
このように排水運転が行われることによって、ドレンタンク６４内の凝縮水の水位が下限水位よりも低下されると（ステップＳ７）、下限水位検知センサ７２からの検知信号に基づいて、タイマ手段７８の計測が終了される（ステップＳ８）。この時、カウント手段７６のカウント値がメモリに記憶されたカウント値、本実施形態では１０回に到達していないときには、ステップＳ９からステップＳ１０に進み、作動制御手段８４は排水ポンプ６６の作動を停止し、排水運転が終了される（ステップＳ１１）。排水運転が終了されると、ステップＳ１１からステップＳ２に進む。
【００３１】
ステップＳ９において、カウント手段７６のカウント値が１０回に到達したときには、ステップＳ９からステップＳ１２に進み、作動制御手段８４は排水ポンプ６６の作動を継続させ、排水運転が終了されるとともにパージ運転が開始される（ステップＳ１３）。パージ運転が開始されると、作動時間設定手段８２は、直前の排水運転におけるタイマ手段７８の計測時間に基づいて、パージ運転における排水ポンプ６６の作動時間を設定する（ステップＳ１４）。本実施形態では、タイマ手段７８の計測時間が例えば２分であるときには、パージ運転における排水ポンプ６６の作動時間を２分に設定する。このパージ運転においては、作動制御手段８４は排水ポンプ６６の回転数を増大させ、排水ポンプ６６を第１所定回転数よりも大きい第２所定回転数（例えば３５００ｒｐｍ）でもって２分間作動させる。これにより排水ポンプ６６からの圧縮空気がドレン流路６０に送り込まれ、この圧縮空気の作用によって、ドレン流路６０に残留する凝縮水がドレン流路６０を通して浴槽の排水口に送給される。
【００３２】
排水ポンプの作動時間が２分を経過すると（ステップＳ１５）、作動制御手段８４は排水ポンプ６６の作動を停止し（ステップＳ１６）、パージ運転が終了される（ステップＳ１７）。パージ運転が終了されると、カウント手段７６のカウント値がリセットされる（ステップＳ１８）。
【００３３】
従って、本実施形態の給湯器２では、排水運転の終了後にパージ運転が行われるので、ドレン流路６０に中和後の凝縮水が残留するのを防止することができる。これにより、中和後の凝縮水に含まれるカルシウム成分がドレン流路６０に析出されるのが抑制され、析出したカルシウム成分によってドレン流路６０が閉塞されるのを防止することができる。
【００３４】
なお、本実施形態では、作動時間設定手段８２は、パージ運転における排水ポンプ６６の作動時間を直前の排水運転の運転時間と同じ時間に設定したが、直前の排水運転の運転時間よりも所定時間（例えば５分）だけ長い（又は短い）時間に設定してもよい。
【００３５】
次に、図４及び図５を参照して、本発明に従う給湯器の他の実施形態について説明する。図４は、本発明の他の実施形態による給湯器の制御系を示すブロック図であり、図５は、図４の給湯器によるパージ運転の流れを示すフローチャートである。なお、この他の実施形態において、上述した実施形態と実質上同一の構成要素には同一の符号を付し、その説明を省略する。
【００３６】
図４を参照して、この他の実施形態の給湯器２Ａでは、制御手段７４Ａは、タイマ手段８６、メモリ８０Ａ及び作動制御手段８４Ａを含んでいる。タイマ手段８６は、排水運転が行われた後に再び排水運転が行われるまでの運転間隔時間を計測する。メモリ８０Ａには、第１及び第２所定回転数データに加えて、パージ運転における排水ポンプ６６の作動時間に関する作動時間データ（例えば１分）と、排水運転が行われた後に再び排水運転が行われるまでの運転間隔時間に関する運転間隔時間データ（例えば７２時間）が記憶されている。作動制御手段８４Ａは、タイマ手段８６の計測時間並びに上限水位検知センサ７０及び下限水位検知センサ７２からの検知信号に基づいて、排水ポンプ６６を後述するようにして作動制御する。
【００３７】
次に、図５をも参照して、上述した給湯器２Ａによる排水運転及びパージ運転について説明する。上述したのと同様に、凝縮水がドレンタンク（図示せず）に貯められると、ドレンタンク内の凝縮水の水位が検知される検知状態となる（ステップＳ３１）。ドレンタンク内の凝縮水の水位が上限水位よりも上昇されると排水運転が開始され（ステップＳ３２，Ｓ３３）、上限水位検知センサ７０からの検知信号に基づいて、作動制御手段８４Ａは排水ポンプ６６を作動させる（ステップＳ３４）。その後、ドレンタンク内の凝縮水の水位が下限水位よりも低下されると（ステップＳ３５）、下限水位検知センサ７２からの検知信号に基づいて、作動制御手段８４Ａは排水ポンプ６６の作動を停止し（ステップＳ３６）、排水運転が終了される（ステップＳ３７）。排水運転が終了されると、タイマ手段８６の計測が開始され（ステップＳ３８）、更にその後、ステップＳ３９〜ステップＳ４１が上述したステップＳ３２〜ステップＳ３４と同様に行われ、排水運転が再び行われる。
【００３８】
このように排水運転が再び行われると、タイマ手段８６の計測が終了され（ステップＳ４２）、その後、ドレンタンク内の凝縮水の水位が下限水位よりも低下されると、ステップＳ４３からステップＳ４４に進む。タイマ手段８６の計測時間がメモリ８０Ａに記憶された運転間隔時間以下、本実施形態では７２時間以下であるときには、ステップＳ４４からステップＳ４５に進み、作動制御手段８４Ａは排水ポンプ６６の作動を停止させ、排水運転が終了される（ステップＳ４６）。排水運転が終了されると、ステップＳ４６からステップＳ３８に進む。
【００３９】
ステップＳ４４において、タイマ手段８６の計測時間が７２時間以上であるときには、ステップＳ４４からステップＳ４７に進み、排水運転が終了されるとともにパージ運転が開始される（ステップＳ４８）。パージ運転が開始されると、作動制御手段８４Ａは排水ポンプ６６をメモリ８０Ａに記憶された作動時間、本実施形態では１分間作動させる。排水ポンプ６６の作動時間が１分を経過すると（ステップＳ４９）、作動制御手段８４Ａは排水ポンプ６６の作動を停止し（ステップＳ５０）、パージ運転が終了される（ステップＳ５１）。
【００４０】
なお、本実施形態では、メモリ８０Ａに記憶された作動時間データを１分に設定したが、この作動時間データは、ドレンタンクから浴槽の排出口（図示せず）までのドレン流路（図示せず）の長さや配設状態などに応じて適宜設定することができる。例えば、ドレン流路の長さが約２５ｍのときには作動時間データを１分に設定し、ドレン流路の長さが約１０ｍのときには作動時間データを３０秒に設定する。このように設定することにより、ドレン流路に残留する凝縮水をより効果的に排出することができる。
【００４１】
また、本実施形態では、タイマ手段８６の計測時間が７２時間以上であるときにパージ運転が行われるように構成したが、制御手段７４Ａに上記実施形態のカウント手段７６を更に設け、タイマ手段８６の計測時間が７２時間以上であるとき又はカウント手段７６のカウント値が１０回に到達したときにパージ運転が行われるように構成してもよい。
【００４２】
以上、本発明に従う種々の給湯器の実施形態について説明したが、本発明はかかる実施形態に限定されるものではなく、本発明の範囲を逸脱することなく種々の変形乃至修正が可能である。
【図面の簡単な説明】
【００４３】
【図１】本発明の一実施形態による給湯器を示す概略図である。
【図２】図１の給湯器の制御系を示すブロック図である。
【図３】図１の給湯器によるパージ運転の流れを示すフローチャートである。
【図４】本発明の他の実施形態による給湯器の制御系を示すブロック図である。
【図５】図４の給湯器によるパージ運転の流れを示すフローチャートである。
【符号の説明】
【００４４】
２，２Ａ  給湯器
１４  第１燃焼バーナ
１６  第１熱交換器
１８  第１ドレンパン
２０  給水流路
２２  出湯流路
２４  第１主熱交換器部
２６  第１副熱交換器部
４２  第２燃焼バーナ
４４  第２熱交換器
４６  第２ドレンパン
５２  第２主熱交換器部
５４  第２副熱交換器部
６２  中和器
６４  ドレンタンク
６６  排水ポンプ
７０  上限水位検知センサ
７２  下限水位検知センサ
【図１】
0005209365.tif 000002
【図２】
0005209365.tif 000003
【図３】
0005209365.tif 000004
【図４】
0005209365.tif 000005
【図５】
0005209365.tif 000006